(57)【特許請求の範囲】
【請求項１】
内容物を収容するボトルと、内容物を注出するノズルを有し前記ボトルに装着されるノズルキャップと、前記ノズルから注出される内容物を計量する計量部を有して前記ノズルキャップに着脱自在に装着される計量キャップとを備えた容器において、
前記計量キャップの計量部が、その内壁面に高さ方向で複数の段差部位を有し、
それらの段差部位は開口部側から見て外径方向に凹み、かつ、段差部位から底部方向に向かう壁面に底部又は底部側の段差部位に達しない途中まで切り込まれた凹部が単数または複数、形成された形状であり、各段差部位ごとに凹部の配列形状が異なり、
前記計量キャップの計量部に内溶液を注入して、前記段差部位に液面が到達したときに、前記段差部位に設けられた凹部により、液面の形状の変化が各段差部位ごとに異なることを特徴とする計量キャップ。
【請求項２】
前記段差部位を複数有し、かつ、その段差部位にそれぞれ異なった断面形状の凹部を有することを特徴とする請求項１に記載の計量キャップ。 
【発明の詳細な説明】
【技術分野】
【０００１】
本発明は液体、粉体、流体の洗剤や調味料等の内容物を計量する計量キャップに関する。
【背景技術】
【０００２】
液体洗剤、柔軟剤等の内容液を計量して使用する容器には、内容液を収容するボトルと、内溶液を注出するノズルを有し、前記ボトルに装着されるノズルキャップと、前記ノズルから注出される内容液を計量する計量筒部を有し、ノズルキャップに着脱自在に装着される計量キャップとを備えた容器が一般的である。
【０００３】
この計量キャップは、内容液を計量して使用した後はノズルキャップに装着して収納可能なため、便利なものであるが、計量する液量の視認を容易にするために、計量キャップに目盛りを刻印や印刷によって表示する必要があった。
【０００４】
目盛りを見ながら計量することは、液量を把握するための一つの方法であるが、視力の低下した高齢者などにとっては神経を使う行動であり、より液量をわかりやすく把握できるようにする方法が望まれていた。
【０００５】
従来技術として、特開平９−２２１１５３号公報（：特許文献１）には、計量キャップに液体を入れる凹部を形成し、この凹部の開口部における屈曲部（段差部）を計量の目印とした計量キャップが開示されている。
【０００６】
また、例えば特表２００９−５４１００９号公報（：特許文献２）には、記載の薬剤の計量・希釈用カップにおいて、計量室が本体と同心の減少直径を有する円筒形領域あるいは円錐形領域が形成されていて、同心の円筒形領域又は円錐形領域に液体を注入して計量するものが開示されている。
【０００７】
上記の特許文献１、２に記載の計量手段では、円筒状の部分に注ぎ入れる際に、段差部で液が広がるギリギリまで目視で確認しながら注ぎ入れて液体を計量する構造になっている。
【０００８】
しかしながら、特許文献１、２に開示の計量手段では、円筒形状部分または円錐形状部分では高さ方向で横断面形状があまり変化せず、段差部に至った液体が広がったことを見て初めて計量が満たされたことが分かるので、液体を注ぎ入れた際に計量部に液体が満たされていることを確認するのが困難なものであった。
なお、内容物は液体に限らず、粉体や粒体の内容物の計量においても同様の要請があった。
【先行技術文献】
【特許文献】
【０００９】
【特許文献１】特開平９−２２１１５３号公報
【特許文献２】特表２００９−５４１００９号公報
【発明の概要】
【発明が解決しようとする課題】
【００１０】
本発明は、上記実情に鑑み、目盛りを見なくても、一目で計量キャップ内の収容量を把握できる計量キャップを提供しようとするものである。
【課題を解決するための手段】
【００１１】
本発明は、内容物を収容するボトルと、内容物を注出するノズルを有し前記ボトルに装着されるノズルキャップと、前記ノズルから注出される内容物を計量する計量部を有して前記ノズルキャップに着脱自在に装着される計量キャップとを備えた容器において、
前記計量キャップの計量部が、その内壁面に高さ方向で複数の段差部位を有し、
それらの段差部位は開口部側から見て外径方向に凹み、かつ、段差部位から底部方向に向かう壁面に底部又は底部側の段差部位に達しない途中まで切り込まれた凹部が単数または複数、形成された形状であり、各段差部位ごとに凹部の配列形状が異なり、
前記計量キャップの計量部に内溶液を注入して、前記段差部位に液面が到達したときに、前記段差部位に設けられた凹部により、液面の形状の変化が各段差部位ごとに異なることを特徴とする計量キャップである。 
【００１２】
本発明において、前記段差部位を複数有し、かつ、その段差部位にそれぞれ異なった断面形状の凹部を有することが好適である。
【発明の効果】
【００１３】
本発明の計量キャップによれば、前記計量キャップの計量部が、その内壁面に高さ方向で複数の段差部位を有し、それらの段差部位は開口部側から見て外径方向に凹み、かつ、段差部位から底部方向に向かう壁面に底部又は底部側の段差部位に達しない途中まで切り込まれた凹部が単数または複数、形成された形状であり、各段差部位ごとに凹部の配列形状が異なり、前記計量キャップの計量部に内溶液を注入して、前記段差部位に液面が到達したときに、前記段差部位に設けられた凹部により、液面の形状の変化が各段差部位ごとに異なる構成としたので、前記計量キャップ内に液体を注ぎ入れて液面高さが変化する際に液面が上記の段差近傍に達すると、凹部の形状によって液面の形状が変化し、凹部のないときに比較して液面形状の変換が目立つため目視確認が容易になる。
【００１４】
本発明において、前記段差部位を複数有し、かつ、その段差部位にそれぞれ異なった断面形状の凹部を有するものとすれば、液面高さが変化していくときに、段差部位毎に液面形状が異なるものになるため、使用者は、液面形状が変化することを見て液面高さがどの程度になったかを容易に確認して、正確に計量することができる。
【図面の簡単な説明】
【００１５】
【図１】本発明の実施形態１に係る計量キャップの説明図であって、(ａ）が該計量キャップを設けた容器の側面図、（ｂ）がボトルに計量キャップおよびノズルキャップを組み立てた説明図、（ｃ）が計量キャップの半断面図である。
【図２】実施形態１に係る計量キャップにおいて、（ａ）が側面説明図、（ｂ）が（ａ）のＢ−Ｂ線に沿う断面からＣ−Ｃ線沿う断面までの横断面視図、（ｃ）が同Ｃ−Ｃ線に沿う端面図、（ｄ）が同Ｄ−Ｄ線に沿う断面図、（ｅ）がＥ−Ｅ線に沿う断面図である。
【図３】実施形態１に係る計量キャップの（ａ）が外観斜視図、（ｂ）が開口側からの斜視図である。
【図４】本発明の実施形態２に係る計量キャップを設けた容器の側面図である。
【図５】実施形態２に係る計量キャップにおける、（ａ）が側面図、（ｂ）が同縦断面図、（ｃ）が（ｂ）のＡ部、Ｂ部の横断面で見た液面の形状（形状Ａ、形状Ｂ）の各説明図である。
【図６】実施形態２に係る計量キャップにおける、（ａ）が開口側からの斜視図、（ｂ）が部分詳細図である。
【発明を実施するための形態】
【００１６】
以下、本発明の実施形態を添付図面の参照によって説明する。
【００１７】
実施形態１に係る計量キャップ２０を有する容器（容器製品）１０Ａについて図１〜図３によって説明する。
【００１８】
つまり、容器１０Ａは、内容液を収容するボトル１２と、内容液を注出するノズル１４を有し前記ボトルに装着されるノズルキャップ１６と、前記ノズル１４から注出される内容液を計量する筒状の計量部１８を有し、前記ノズルキャップ１６に着脱自在に装着される計量キャップ２０とから構成される容器である。
【００１９】
詳しくは、前記ボトル１２は、ブロー成形等で形成されて柔軟剤、洗剤または漂白剤等の液体や粉体や粒体等の各種の内容物を収容するためのものであって、図１に示す正立状態で、膨出した本体よりも細径に形成された円筒状の口元部１２ａが上方に突出形成され、その口元部１２ａの周囲に雄ネジ山が形成されたものである。
【００２０】
また、ノズルキャップ１６は、図１に示すように、下部が円筒状で内部に雌ネジが形成されており、上部が椀状に凹んでその中央部に略筒状のノズル１４が上方に向けて立設している。また、ノズルキャップ１６の上部外周には雄ネジが形成されている。ノズルキャップ１６の下部の雌ネジは前記ボトル１２の口元部１２ａに被せて螺合し、また、ノズルキャップ１６の上部の雄ネジには計量キャップ２０のフランジ部２８が被されてその内部の雌ネジが螺合して装着し固定するものである。
【００２１】
計量キャップ２０は、図１に示すように、装着状態で、上部に底部１８ｃが、下部に開口部１８ａがある概略椀状であり、図２に示すように、上下を逆にした使用状態では、開口部１８ａを上向きにした椀状にして使用するものである。詳しくは、図２に示すように、前記計量キャップ２０は、内部空間が計量部１８を形成しており、計量キャップ２０の開口部１８ａから底部方向に向けて、計量部１８は、開口部１８ａ、中部１８ｂ、底部１８ｃの順に内径が段階的に小径になっていく。
【００２２】
計量部１８の段階的に小径になる境界部である段差部位２２が、内壁面に高さ方向（計量キャップの軸方向）で二箇所（一箇所以上の例であり、三箇所以上でもよい）形成され（開口部側の段差部位２２ａ、底部側の段差部位２２ｂ）、かつ、その段差部位２２にはそれぞれ部分的に凹む凹部２４（２４ａ、２４ｂ）を有したものである。これらの段差部位２２は、断面がほぼ直角の形状のものが全内周にわたって形成されたものであり、それらの段差部位２２に凹部２４が形成されている。なお、計量キャップ２０の材質には、例えば、ポリエチレン、ポリプロピレン、ポリエチレンテレフタレート等のプラスチックが挙げられる。
【００２３】
計量キャップ２０の使用に際して、その計量部１８に内溶液を注入して、前記段差部位２２に液面が到達したときに、各段差部位２２（段差部位２２ａ、段差部位２２ｂ）に設けられた凹部２４（２４ａ、２４ｂ）の配列形状に応じて、液面の形状が変化するものになり、その液面形状の変化で液面の位置を正確に視認できる。
【００２４】
実施形態１では、図１（ｃ）や、図２〜図３に示すように、凹部２４はいずれも開口部側から見て半円形形状の切り欠きが壁面で途中まで切り込まれたものが複数形成された形状である。つまり開口部１８ａ側の段差部位２２ａの凹部２４であれば、次の底部１８ｃ側の段差部位２２ｂに達し無い途中までの切り込みで形成されている。
【００２５】
開口部１８ａ側の段差部位２２ａには、複数の切り欠きが内周を取り巻くように配列形成された凹部２４ａがあり、底部１８ｃ側の段差部位２２ｂには、切り欠きが単数（または間隔を置いて配列形成された複数でもよい）形成された凹部２４ｂがある。したがって、開口部１８ａ側の段差部位２２ａの凹部２４の配列形状と底部側の段差部位２２ｂの凹部２４の配列形状が異なるものになっている。
【００２６】
内容物がそれらの段差部位２２ａ、２２ｂのいずれかに達すると液面形状がそれぞれ異なるものになるので、内容物の液面がその段差部位２２ａ，２２ｂのいずれに至ったかを使用者が容易に認識して、内容物の量を容易かつ正確に計量することができる。
【００２７】
なお、本発明において、実施形態１のように、前記段差部位２２は、単数または複数のいずれかに形成できるが、その段差部位２２にそれぞれ異なった断面形状の凹部２４を形成することができ、凹部２４の形状によってさら容易かつ正確に液面を確認して計量することができる。
【００２８】
例えば、凹部２４の形状については、図４〜図６に示す実施形態２の容器１０Ｂのように、他の構成にできる。
【００２９】
図４〜図６に示す実施形態２に係る容器１０Ｂでは、計量キャップ２０の内部の計量部１８では、その内面における開口部１８ａ側が底部側１８ｃより広がるテーパ状を呈し、その内面に楔状の段差部位２２を設けている。円筒状の開口部１８ａ側の段差部位２２ａと底部１８ｃ側の段差部位２２ｂには、ほぼ三角溝状に切り欠いて凹部２４（２４ａと２４ｂ）を形成している。
【００３０】
図５に示すように、凹部２４ａは切り欠いた溝８箇所、凹部２４ｂは切り欠いた溝４箇所が、それぞれ配列形成されたものであり、それら凹部２４ａ、２４ｂの配列形状に応じて、液面の形状が変化するものとし、その液面形状の変化で液面の位置を一層正確かつ容易に視認することができるものにしている。
つまり、図５（ｂ）に示すように、段差部位２２ａでは凹部２４ａが８箇所に配列され、また段差部位２２ｂでは凹部２４ｂが４箇所に配列されているので、同図（ｃ）に示すように、凹部２４ａによる液面が８箇所の突起のある液面になり、凹部２４ｂによる液面が４箇所の突起のある液面になる。
【００３１】
なお、本発明において凹部の形状は段差部位ごとに異なった形状例えば異なる多角形形状とすることもできる。前記段差部位にそれぞれ異なった断面形状の凹部を有するものとすれば、液面高さが変化していくときに、段差部位毎に凹部に液が入ることによって液面形状の周囲箇所がより異なるものになるため、使用者は、液面形状が変化することを見て液面高さがどの程度になったかをさらに容易に確認することができ、正確に計量することができる。
また、本発明において、内容物は液体に限らず、液体と同様に計量キャップに注いで計量可能な粉体や粒体の内容物の計量キャップにも同様に実施できる。
【産業上の利用可能性】
【００３２】
本発明の計量キャップは、液体柔軟剤、洗剤、漂白剤等の各種液体の計量の他、粒状の洗濯洗剤、または粒状の自動食器洗浄機用洗剤等の粒状洗剤、粉体調味料、粉体食品等の粉粒物を内容物として計量する場合にも使用できる。
【符号の説明】
【００３３】
１０Ａ  実施形態１に係る容器
１０Ｂ  実施形態２に係る容器
１２  ボトル
１２ａ  ボトルの口元部
１４  ノズル
１６  ノズルキャップ
１８  計量部
１８ａ  計量部の開口部
１８ｂ  計量部の中部
１８ｃ  計量部の底部
２０  計量キャップ
２２  段差部位
２２ａ  開口部側の段差部位
２２ｂ  底部側の段差部位
２４  凹部
２４ａ  開口部側の段差部位に形成された凹部
２４ｂ  底部側の段差部位に形成された凹部
２８  計量キャップのフランジ部
【図１】
0005755129.tif 000002
【図２】
0005755129.tif 000003
【図３】
0005755129.tif 000004
【図４】
0005755129.tif 000005
【図５】
0005755129.tif 000006
【図６】
0005755129.tif 000007